(57)【要約】  ユーザ装置は、端末間直接通信を介して制御情報及びデータを受信する受信部と、前記制御情報又は前記データに基づいて、前記端末間直接通信がユニキャスト、グループキャスト又はブロードキャストのいずれであるかを判別する制御部とを有する。
2020031348.tif 000002
【特許請求の範囲】
【請求項１】
端末間直接通信を介して制御情報及びデータを受信する受信部と、
前記制御情報又は前記データに基づいて、前記端末間直接通信がユニキャスト、グループキャスト又はブロードキャストのいずれであるかを判別する制御部とを有するユーザ装置。
【請求項２】
前記制御情報をユーザ装置の識別子に基づくスクランブリングシーケンスを用いてデコードに成功した場合、前記端末間直接通信がユニキャストであると判別し、かつ、
前記制御情報をグループの識別子に基づくスクランブリングシーケンスを用いてデコードに成功した場合、前記端末間直接通信がグループキャストであると判別し、かつ、
前記制御情報をユーザ装置又はグループの識別子とは独立したスクランブリングシーケンスを用いてデコードに成功した場合、前記端末間直接通信がブロードキャストであると判別する請求項１記載のユーザ装置。
【請求項３】
前記制御情報のデコードに成功したスクランブリングシーケンスを用いて、前記データのデコードを行う請求項２記載のユーザ装置。
【請求項４】
前記制御情報に含まれる前記端末間直接通信がユニキャスト、グループキャスト又はブロードキャストのいずれであるかを示す情報又は前記制御情報のフォーマットに基づいて、前記端末間直接通信がユニキャスト、グループキャスト又はブロードキャストのいずれであるかを判別する請求項１記載のユーザ装置。
【請求項５】
前記端末間直接通信がユニキャストであると判別された場合、前記データをユーザ装置の識別子に基づくスクランブリングシーケンスを用いてデコードし、かつ、
前記端末間直接通信がグループキャストであると判別された場合、前記データをグループの識別子に基づくスクランブリングシーケンスを用いてデコードし、かつ、
前記端末間直接通信がブロードキャストであると判別された場合、前記データをユーザ装置又はグループの識別子とは独立したスクランブリングシーケンスを用いてデコードする請求項４記載のユーザ装置。
【請求項６】
前記データをデコードして取得されたＭＡＣ（Media Access Control）制御要素に基づいて、前記端末間直接通信がユニキャスト、グループキャスト又はブロードキャストのいずれであるかを判別する請求項１記載のユーザ装置。
【発明の詳細な説明】
【技術分野】
【０００１】
本発明は、無線通信システムにおけるユーザ装置に関する。
【背景技術】
【０００２】
ＬＴＥ（Long Term Evolution）及びＬＴＥの後継システム（例えば、ＬＴＥ−Ａ（LTE Advanced）、ＮＲ（New Radio）（５Ｇともいう。））では、ユーザ装置同士が基地局装置を介さないで直接通信を行うＤ２Ｄ（Device to Device）技術が検討されている（例えば非特許文献１）。【０００３】
Ｄ２Ｄは、ユーザ装置と基地局装置との間のトラフィックを軽減し、災害時等に基地局装置が通信不能になった場合でもユーザ装置間の通信を可能とする。なお、３ＧＰＰ（3rd Generation Partnership Project）では、Ｄ２Ｄを「サイドリンク（ｓｉｄｅｌｉｎｋ）」と称しているが、本明細書では、より一般的な用語であるＤ２Ｄを使用する。ただし、後述する実施の形態の説明では必要に応じてサイドリンクも使用する。【０００４】
Ｄ２Ｄ通信は、通信可能な他のユーザ装置を発見するためのＤ２Ｄディスカバリ（D2D discovery、Ｄ２Ｄ発見ともいう。）と、ユーザ装置間で直接通信するためのＤ２Ｄコミュニケーション（D2D direct communication、Ｄ２Ｄ通信、端末間直接通信等ともいう。）と、に大別される。以下では、Ｄ２Ｄコミュニケーション、Ｄ２Ｄディスカバリ等を特に区別しないときは、単にＤ２Ｄと呼ぶ。また、Ｄ２Ｄで送受信される信号を、Ｄ２Ｄ信号と呼ぶ。ＮＲにおけるＶ２Ｘ（Vehicle to Everything）に係るサービスの様々なユースケースが検討されている（例えば非特許文献２）。
【先行技術文献】
【非特許文献】
【０００５】
【非特許文献１】３ＧＰＰ  ＴＳ  ３６．２１１  Ｖ１５．２．０（２０１８−０６）
【非特許文献２】３ＧＰＰ  ＴＲ  ２２．８８６  Ｖ１５．１．０（２０１７−０３）
【発明の概要】
【発明が解決しようとする課題】
【０００６】
Ｖ２Ｘにおいて、ユニキャスト、グループキャスト（「マルチキャスト」と呼ばれてもよい。）及びブロードキャストを行うＤ２Ｄ通信が想定される。しかしながら、従来のＤ２Ｄ通信では、上位レイヤにおけるパケットのデコードが成功するまで、ユニキャスト、グループキャスト又はブロードキャストのうちいずれの送信タイプであるか判別することが困難であった。【０００７】
本発明は上記の点に鑑みてなされたものであり、端末間直接通信において、端末間直接通信において、単一の端末に送信する方式、複数の特定の端末に送信する方式又は複数の不特定の端末に送信する方式のいずれであるかを判別することを目的とする。
【課題を解決するための手段】
【０００８】
開示の技術によれば、端末間直接通信を介して制御情報及びデータを受信する受信部と、前記制御情報又は前記データに基づいて、前記端末間直接通信がユニキャスト、グループキャスト又はブロードキャストのいずれであるかを判別する制御部とを有するユーザ装置が提供される。
【発明の効果】
【０００９】
開示の技術によれば、端末間直接通信において、端末間直接通信において、単一の端末に送信する方式、複数の特定の端末に送信する方式又は複数の不特定の端末に送信する方式のいずれであるかを判別することができる。
【図面の簡単な説明】
【００１０】
【図１】Ｖ２Ｘを説明するための図である。
【図２】本発明の実施の形態における無線通信システムの例を示す図である。
【図３】サイドリンク送信の例を説明するための図である。
【図４】スケジューリングの例を説明するための図である。
【図５】本発明の実施の形態におけるサイドリンク送信の例（１）を説明するための図である。
【図６】本発明の実施の形態におけるサイドリンク受信の例（１）を説明するためのフローチャートである。
【図７】本発明の実施の形態におけるサイドリンク送信の例（２）を説明するための図である。
【図８】本発明の実施の形態におけるサイドリンク受信の例（２）を説明するためのフローチャートである。
【図９】本発明の実施の形態におけるサイドリンク送信の例（３）を説明するための図である。
【図１０】本発明の実施の形態におけるサイドリンク受信の例（３）を説明するためのフローチャートである。
【図１１】本発明の実施の形態における基地局装置１０の機能構成の一例を示す図である。
【図１２】本発明の実施の形態におけるユーザ装置２０の機能構成の一例を示す図である。
【図１３】本発明の実施の形態における基地局装置１０又はユーザ装置２０のハードウェア構成の一例を示す図である。
【発明を実施するための形態】
【００１１】
以下、図面を参照して本発明の実施の形態を説明する。なお、以下で説明する実施の形態は一例であり、本発明が適用される実施の形態は、以下の実施の形態に限られない。
【００１２】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１３】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１４】
また、以下の説明において、送信ビームを用いて信号を送信する方法は、プリコーディングベクトルが乗算された（プリコーディングベクトルでプリコードされた）信号を送信するデジタルビームフォーミングであってもよいし、ＲＦ（Radio Frequency）回路内の可変移相器を用いてビームフォーミングを実現するアナログビームフォーミングであってもよい。同様に、受信ビームを用いて信号を受信する方法は、所定の重みベクトルを受信した信号に乗算するデジタルビームフォーミングであってもよいし、ＲＦ回路内の可変位相器を用いてビームフォーミングを実現するアナログビームフォーミングであってもよい。デジタルビームフォーミングとアナログビームフォーミングを組み合わせたハイブリッドビームフォーミングが適用されてもよい。また、送信ビームを用いて信号を送信することは、特定のアンテナポートで信号を送信することであってもよい。同様に、受信ビームを用いて信号を受信することは、特定のアンテナポートで信号を受信することとであってもよい。アンテナポートとは、３ＧＰＰの規格で定義されている論理アンテナポート又は物理アンテナポートを指す。また、上記プリコーディング又はビームフォーミングは、プリコーダ又は空間領域フィルタ（Spatial domain filter）等と呼ばれてもよい。
【００１５】
なお、送信ビーム及び受信ビームの形成方法は、上記の方法に限られない。例えば、複数アンテナを備える基地局装置１０又はユーザ装置２０において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１６】
また、本発明の実施の形態において、無線パラメータ等が「設定される（Configure）」とは、所定の値が予め設定（Pre-configure）されることであってもよいし、基地局装置１０又はユーザ装置２０から通知される無線パラメータが設定されることであってもよい。
【００１７】
図１は、Ｖ２Ｘを説明するための図である。３ＧＰＰでは、Ｄ２Ｄ機能を拡張することでＶ２Ｘ（Vehicle to Everything）あるいはｅＶ２Ｘ（enhanced V2X）を実現することが検討され、仕様化が進められている。図１に示されるように、Ｖ２Ｘとは、ＩＴＳ（Intelligent Transport Systems）の一部であり、自動車間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure）、自動車とドライバが所持するモバイル端末との間で行われる通信形態を意味するＶ２Ｎ（Vehicle to Nomadic device）、及び、自動車と歩行者が所持するモバイル端末との間で行われる通信形態を意味するＶ２Ｐ（Vehicle to Pedestrian）の総称である。
【００１８】
また、３ＧＰＰにおいて、ＬＴＥ又はＮＲのセルラ通信及び端末間通信を用いたＶ２Ｘが検討されている。ＬＴＥ又はＮＲのＶ２Ｘについて、今後３ＧＰＰ仕様に限られない検討も進められることが想定される。例えば、インターオペラビリティの確保、上位レイヤの実装によるコストの低減、複数ＲＡＴ（Radio Access Technology）の併用又は切替方法、各国におけるレギュレーション対応、ＬＴＥ又はＮＲのＶ２Ｘプラットフォームのデータ取得、配信、データベース管理及び利用方法が検討されることが想定される。
【００１９】
本発明の実施の形態において、通信装置が車両に搭載される形態を主に想定するが、本発明の実施の形態は、当該形態に限定されない。例えば、通信装置は人が保持する端末であってもよいし、通信装置がドローンあるいは航空機に搭載される装置であってもよいし、通信装置が基地局、ＲＳＵ、中継局（リレーノード）等であってもよい。
【００２０】
なお、ＳＬ（Sidelink）は、ＵＬ（Uplink）又はＤＬ（Downlink）と以下１）−４）のいずれか又は組み合わせに基づいて区別されてもよい。また、ＳＬは、他の名称であってもよい。
１）時間領域のリソース配置
２）周波数領域のリソース配置
３）参照する同期信号（ＳＬＳＳ（Sidelink Synchronization Signal）を含む）
４）送信電力制御のためのパスロス測定に用いる参照信号
【００２１】
また、ＳＬ又はＵＬのＯＦＤＭ（Orthogonal Frequency Division Multiplexing）に関して、ＣＰ−ＯＦＤＭ（Cyclic-Prefix OFDM）、ＤＦＴ−Ｓ−ＯＦＤＭ（Discrete Fourier Transform - Spread - OFDM）、Ｔｒａｎｓｆｏｒｍ  ｐｒｅｃｏｄｉｎｇされていないＯＦＤＭ又はＴｒａｎｓｆｏｒｍ  ｐｒｅｃｏｄｉｎｇされているＯＦＤＭのいずれが適用されてもよい。
【００２２】
ＬＴＥのＳＬにおいて、ユーザ装置２０へのＳＬのリソース割り当てに関してＭｏｄｅ３とＭｏｄｅ４が規定されている。Ｍｏｄｅ３では、基地局装置１０からユーザ装置２０に送信されるＤＣＩ（Downlink Control Information）によりダイナミックに送信リソースが割り当てられる。また、Ｍｏｄｅ３ではＳＰＳ（Semi Persistent Scheduling）も可能である。Ｍｏｄｅ４では、ユーザ装置２０はリソースプールから自律的に送信リソースを選択する。
【００２３】
図２は、本発明の実施の形態における無線通信システムの例を示す図である。図２を用いて、無線通信システムに５つのユーザ装置２０Ａ、２０Ｂ、２０Ｃ、２０Ｄ及び２０Ｅが含まれ、互いにＤ２Ｄ通信を行う例を示す。ユーザ装置２０Ａは、ユーザ装置２０Ｂ、２０Ｃ、２０Ｄ又は２０ＥのいずれかとユニキャストによるＤ２Ｄ通信を行うことができる。また、例えば、ユーザ装置２０Ｂ及び２０Ｃがグループを構成している場合、ユーザ装置２０Ａは、ユーザ装置２０Ｂ及び２０ＣとグループキャストによるＤ２Ｄ通信を行うことができる。グループキャスト送信において、ユーザ装置２０Ａは当該グループに含まれてもよいし、含まれなくてもよい。また、ユーザ装置２０Ａは、ユーザ装置２０Ｂ、２０Ｃ、２０Ｄ及び２０ＥすべてとブロードキャストによるＤ２Ｄ通信を行うことができる。ここで、送信タイプとは、ユニキャスト、グループキャスト又はブロードキャストのいずれかを示すものとする。
【００２４】
図３は、サイドリンク送信の例を説明するための図である。ＬＴＥリリース１４又は１５のＶ２Ｘにおいて、ＰＨＹレイヤにおいてはブロードキャストのトラフィックのみが想定されている。また、ＬＴＥリリース１４又は１５のＶ２Ｘにおいて、ＰＳＣＣＨ（Physical Sidelink Control Channel）を介して送信されるサイドリンク制御情報（ＳＣＩ：Sidelink control information）は、関連付けられたＰＳＳＣＨ（Physical Sidelink Shared Channel）を介して送信されるデータと同一のタイミングで送信される。タイミングとは、例えば、スロット、サブフレーム又はＴＴＩ（Transmission Time Interval）等である。
【００２５】
ここで、図３に示されるように、ＰＳＣＣＨを介して送信されるＳＡ（Scheduling Assignment）に含まれるＳＣＩに適用されるスクランブリングシーケンスは、予め規定された固定のシーケンスである。また、当該ＳＡでスケジューリングされるデータに適用されるスクランブリングシーケンスは、ＳＣＩのＣＲＣ（Cyclic Redundancy Check）に基づいて導出され、ＵＥ（User Equipment）を識別するＩＤとは独立している。ＳＡはＳＬ−Ｓｃｈｅｄｕｌｉｎｇ  Ｇｒａｎｔと呼ばれてもよい。
【００２６】
受信側ユーザ装置２０の観点においては、ＰＳＣＣＨは、ブラインドデコードされる。ＰＳＣＣＨをブラインドデコードして取得されたＳＣＩによって、関連付けられたＰＳＳＣＨがデコードされる。ブラインドデコードの複雑さを低減するため、ＳＣＩに適用されるスクランブリングシーケンスは、仕様で規定された固定のシーケンスである。一方、データに適用されるスクランブリングシーケンスは、ＳＣＩのＣＲＣに基づいて導出され、ＵＥを識別するＩＤとは独立している。
【００２７】
さらに、ＮＲのＶ２Ｘにおいては、伝送速度又は遅延等に係るＫＰＩ（Key Performance Indicator）を高い水準で満たすことが要求されている。また、ＮＲのＶ２Ｘにおいては、ユニキャスト、グループキャスト及びブロードキャストがサポートされる可能性がある。
【００２８】
ここで、ＬＴＥのＶ２ＸにおけるＳＣＩ及びデータのスクランブリング手法が、ＮＲのＶ２Ｘにおいて使用された場合、上位レイヤにおけるパケットのデコードが成功するまで、ユニキャスト、グループキャスト又はブロードキャストのうちいずれの送信タイプであるか判別することが困難であった。そのため、ユニキャスト又はグループキャストにおける下位レイヤのリンクレベルのＱｏＳ（Quality of Service）管理、例えば、ＨＡＲＱ（Hybrid Automatic repeat request）フィードバック、クローズドループ電力制御、ＣＳＩ（Channel state information）報告等に支障が生じる可能性がある。そこで、ＰＨＹレイヤ等の下位レイヤにおいて、ユニキャスト、グループキャスト又はブロードキャストのうちいずれの送信タイプであるか判別することが求められる。
【００２９】
図４は、スケジューリングの例を説明するための図である。ユニキャスト、グループキャスト又はブロードキャストのうちいずれの送信タイプであるか判別するため、図４に示されるように、ＰＳＣＣＨ、ＰＳＳＣＨ又はＰＳＤＣＨ（Physical Sidelink Discovery Channel）に、予め各送信タイプ専用のリソースを配置する方法がある。すなわち、ユニキャスト、グループキャスト又はブロードキャストは、それぞれ専用のリソースを用いて送信される。
【００３０】
他の方法として、送信タイプがユニキャスト、グループキャスト又はブロードキャストのいずれであるかによらずＰＳＣＣＨ又はＰＳＳＣＨが配置されるリソース設定を共通とし、デコードされるＳＣＩ又はデータで送信タイプを判別する方法がある。当該方法では、送信タイプによって予め専用のリソースを配置する必要がなく、各送信タイプでリソースを共有して柔軟なスケジューリングが可能となる。
【００３１】
図５は、本発明の実施の形態におけるサイドリンク送信の例（１）を説明するための図である。デコードされるＳＣＩ又はデータで送信タイプを判別する方法を用いるサイドリンク送信の例を説明する。
【００３２】
図５に示されるように、ＳＡを行うＳＣＩスクランブリングシーケンスは、ユニキャストの場合、ＳＣＩを受信又は送信するＵＥのＵＥ  ＩＤ又はＲＮＴＩ（Radio network temporary identifier）に基づいて導出される。ＳＡを行うＳＣＩスクランブリングシーケンスは、グループキャストの場合、ＳＣＩを送信するＵＥのＵＥ  ＩＤ又はＲＮＴＩ、グループＩＤ又はＲＮＴＩに基づいて導出される。ＳＡを行うＳＣＩスクランブリングシーケンスは、ブロードキャストの場合、ＵＥ  ＩＤ又はＲＮＴＩ、グループＩＤ又はＲＮＴＩとは独立して設定されるか予め規定される。なお、ユニキャスト、グループキャスト、ブロードキャストのいずれの場合においても、上位レイヤ信号（例：ＭＡＣ、ＲＲＣ）でスクランブリングシーケンスが設定されてもよい。例えば、ＵＥ、グループ又は／及びセル毎にスクランブリングシーケンスが設定されてもよいし、又はユニキャスト、グループキャスト、ブロードキャストそれぞれにスクランブリングシーケンスが設定されてもよい。
【００３３】
また、図５に示されるように、データスクランブリングシーケンスは、ユニキャストの場合、データを受信又は送信するＵＥのＵＥ  ＩＤ又はＲＮＴＩに基づいて導出される。データスクランブリングシーケンスは、グループキャストの場合、データを送信するＵＥのＵＥ  ＩＤ又はＲＮＴＩ、グループＩＤ又はＲＮＴＩに基づいて導出される。ユニキャスト、グループキャストいずれの場合も、上位レイヤ信号（例：ＭＡＣ、ＲＲＣ）でＵＥ又は／及びグループ毎にスクランブリングシーケンスが指定されてもよい。データスクランブリングシーケンスは、ブロードキャストの場合、ＵＥ  ＩＤ又はＲＮＴＩ、グループＩＤ又はＲＮＴＩとは独立して設定されるか予め規定される。また、データスクランブリングシーケンスはＣＳＩスクランブリングシーケンスと共通であってもよい。ＳＣＩスクランブリングシーケンスから導出される、又はＳＣＩに含まれる情報（ＵＥ  ＩＤ、グループＩＤ等）から導出されるシーケンスであってもよい。なお、ユニキャスト、グループキャスト、ブロードキャストのいずれの場合においても、上位レイヤ信号（例：ＭＡＣ、ＲＲＣ）でスクランブリングシーケンスが設定されてもよい。例えば、ＵＥ、グループ又は／及びセル毎にスクランブリングシーケンスが設定されてもよいし、又はユニキャスト、グループキャスト、ブロードキャストそれぞれにスクランブリングシーケンスが設定されてもよい。
【００３４】
図６は、本発明の実施の形態におけるサイドリンク受信の例（１）を説明するためのフローチャートである。図５に示されるサイドリンク送信をユーザ装置２０が受信する動作を説明する。
【００３５】
ステップＳ１１において、ユーザ装置２０は、ＳＣＩ又はデータをＵＥ  ＩＤ又はＲＮＴＩによるスクランブリングシーケンスによってブラインドデコードを実行する。ブラインドデコードが成功した場合、ユーザ装置２０は、受信したＳＣＩ及びデータがユニキャストされたこと及び宛先を判別できる。ここで、ＳＣＩ及びデータが同一のスクランブリングシーケンスによってスクランブリングされている場合、ユーザ装置２０は、ＳＣＩをブラインドデコード可能であったスクランブリングシーケンスを用いて、データをデコードすることができる。
【００３６】
ステップＳ１２において、ユーザ装置２０は、ＳＣＩ又はデータをグループＩＤ又はＲＮＴＩによるスクランブリングシーケンスによってブラインドデコードを実行する。ブラインドデコードが成功した場合、ユーザ装置２０は、受信したＳＣＩ及びデータがグループキャストされたこと及び宛先を判別できる。ここで、ユニキャスト同様に、ＳＣＩ及びデータが同一のスクランブリングシーケンスによってスクランブリングされている場合、ユーザ装置２０は、ＳＣＩをブラインドデコード可能であったスクランブリングシーケンスを用いて、データをデコードすることができる。
【００３７】
ステップＳ１３において、ユーザ装置２０は、ＳＣＩ又はデータをブロードキャスト用に規定又は設定されたＵＥ又はグループＩＤ／ＲＮＴＩとは独立しているスクランブリングシーケンスによってブラインドデコードを実行する。ブラインドデコードが成功した場合、ユーザ装置２０は、受信したＳＣＩ及びデータがブロードキャストされたことを判別できる。ここで、ユニキャスト同様に、ＳＣＩ及びデータが同一のスクランブリングシーケンスによってスクランブリングされている場合、ユーザ装置２０は、ＳＣＩをブラインドデコード可能であったスクランブリングシーケンスを用いて、データをデコードすることができる。
【００３８】
なお、ステップＳ１１、Ｓ１２及びＳ１３の各ステップは、いずれのステップが先行して実行されてもよいし、いかなる順序で実行されてもよい。各ステップの優先順位が仕様で規定又は基地局により設定されてもよい。
【００３９】
図７は、本発明の実施の形態におけるサイドリンク送信の例（２）を説明するための図である。デコードされるＳＣＩ又はデータで送信タイプを判別する方法を用いるサイドリンク送信の例を説明する。
【００４０】
図７に示されるように、ＳＡを行うＳＣＩスクランブリングシーケンスは、送信タイプとは独立して設定又は予め規定される。ＳＣＩによって送信タイプが通知されてもよい。また、異なる送信タイプに異なるＳＣＩフォーマットを関連付けて、ＳＣＩフォーマットに基づいて送信タイプが判別されてもよい。ＳＣＩに含まれる情報（例：ＭＣＳ（Modulation Coding Scheme）、ＲＩ（Rank Indicator））に基づいて送信タイプが判別されてもよい。例えば、高次変調方式又はマルチレイヤ送信を行う場合、ＱｏＳ制御が求められるため、ＭＣＳ、ＲＩ等が一定値以上の場合にはＱｏＳ制御を行う送信タイプ（例：ユニキャスト、グループキャスト）と判断できる。
【００４１】
また、図７に示されるように、データスクランブリングシーケンスは、ユニキャストの場合、データを受信又は送信するＵＥのＵＥ  ＩＤ又はＲＮＴＩに基づいて導出される。データスクランブリングシーケンスは、グループキャストの場合、データを送信するＵＥのＵＥ  ＩＤ又はＲＮＴＩ、グループＩＤ又はＲＮＴＩに基づいて導出される。データスクランブリングシーケンスは、ブロードキャストの場合、ＵＥ又はグループのＩＤ又はＲＮＴＩとは独立して設定されるか予め規定される。なお、ユニキャスト、グループキャスト、ブロードキャストのいずれの場合においても、上位レイヤ信号（例：ＭＡＣ、ＲＲＣ）でスクランブリングシーケンスが設定されてもよい。例えば、ＵＥ、グループ又は／及びセル毎にスクランブリングシーケンスが設定されてもよいし、又はユニキャスト、グループキャスト、ブロードキャストそれぞれにスクランブリングシーケンスが設定されてもよい。
【００４２】
図８は、本発明の実施の形態におけるサイドリンク受信の例（２）を説明するためのフローチャートである。図７に示されるサイドリンク送信をユーザ装置２０が受信する動作を説明する。
【００４３】
ステップＳ２１において、ユーザ装置２０は、ＳＣＩをデコードして送信タイプを取得する。または、ユーザ装置２０は、ＳＣＩフォーマット又はＳＣＩに含まれるその他情報に基づいて送信タイプを取得する。
【００４４】
ステップＳ２２において、ステップＳ２１で取得された送信タイプがユニキャストであった場合、ユーザ装置２０は、データをＵＥ  ＩＤ又はＲＮＴＩによるスクランブリングシーケンスによってデコードを実行する。また、ステップＳ２１で取得された送信タイプがグループキャストであった場合、ユーザ装置２０は、データをグループＩＤ又はＲＮＴＩによるスクランブリングシーケンスによってデコードを実行する。また、ステップＳ２１で取得された送信タイプがブロードキャストであった場合、ユーザ装置２０は、ＳＣＩ又はデータをブロードキャスト用に規定又は設定されたＵＥ又はグループのＩＤ又はＲＮＴＩとは独立しているスクランブリングシーケンスによってデコードを実行する。
【００４５】
図９は、本発明の実施の形態におけるサイドリンク送信の例（３）を説明するための図である。デコードされるＳＣＩ又はデータで送信タイプを判別する方法を用いるサイドリンク送信の例を説明する。
【００４６】
図９に示されるように、ＳＡを行うＳＣＩスクランブリングシーケンスは、ＵＥ又はグループのＩＤ又はＲＮＴＩとは独立して設定されるか予め規定される。データスクランブリングシーケンスは、ＵＥ又はグループのＩＤ又はＲＮＴＩとは独立して設定される。送信タイプは、ＭＡＣ（Media access control）ＣＥ（Control element）に含まれるデスティネーションＩＤに基づいて送信タイプが判別されてもよい。ＭＡＣ  ＣＥに含まれるデスティネーションＩＤは、ユニキャストの場合、ＵＥ  ＩＤ又はＲＮＴＩに基づいて導出されてもよく、グループキャストの場合、グループＩＤ又はＲＮＴＩに基づいて導出されてもよく、ブロードキャストの場合、ＵＥ又はグループのＩＤ又はＲＮＴＩとは独立して設定されるか予め規定されてもよい。
【００４７】
図１０は、本発明の実施の形態におけるサイドリンク受信の例（３）を説明するためのフローチャートである。図９に示されるサイドリンク送信をユーザ装置２０が受信する動作を説明する。
【００４８】
ステップＳ３１において、ユーザ装置２０は、ＳＣＩ及びデータをデコードする。続いて、ステップＳ３２において、デコードされたデータに含まれるＭＡＣ  ＣＥに基づいて、送信タイプがユニキャストであるかグループキャストであるかブロードキャストであるか判別する。
【００４９】
なお、ＰＳＣＣＨ、ＰＳＳＣＨ又はＰＳＤＣＨ（Physical Sidelink Discovery Channel）それぞれに予め各送信タイプ専用のリソースを配置する方法の場合、図５、図７、図９及び図６、図８、図１０で説明したＳＣＩ及びデータへのスクランブリングシーケンスのいずれかが適用されてもよい。
【００５０】
ユーザ装置２０は、ユニキャスト専用のＰＳＣＣＨ、ＰＳＳＣＨ又はＰＳＤＣＨが配置されたリソースを、ＵＥ  ＩＤ又はＲＮＴＩに基づいたスクランブリングシーケンスを想定してモニタしてもよい。例えば、ＵＥ  ＩＤ又はＲＮＴＩは、デスティネーションＵＥのＩＤ又はＲＮＴＩであってもよい。
【００５１】
また、ユーザ装置２０は、グループキャスト専用のＰＳＣＣＨ、ＰＳＳＣＨ又はＰＳＤＣＨが配置されたリソースを、グループＩＤ又はＲＮＴＩに基づいたスクランブリングシーケンスを想定してモニタしてもよい。
【００５２】
また、ユーザ装置２０は、ブロードキャスト専用のＰＳＣＣＨ、ＰＳＳＣＨ又はＰＳＤＣＨが配置されたリソースを、ＵＥ又はグループのＩＤ又はＲＮＴＩとは独立しているスクランブリングシーケンスを想定してモニタしてもよい。例えば、ＬＴＥリリース１４で使用されているスクランブリングシーケンスが想定されてもよい。
【００５３】
上述の実施例により、ユーザ装置２０は、サイドリンク通信が、ユニキャスト、グループキャスト又はブロードキャストのいずれであるかを例えばＰＨＹレイヤ等の下位レイヤにおいて判別することができる。したがって、ユーザ装置２０は、下位レイヤのリンクレベルのＱｏＳ管理、例えば、ＨＡＲＱフィードバック、クローズドループ電力制御、ＣＳＩフィードバック等を好適に実行することができる。
【００５４】
すなわち、端末間直接通信において、端末間直接通信において、単一の端末に送信する方式、複数の特定の端末に送信する方式又は複数の不特定の端末に送信する方式のいずれであるかを判別することができる。
【００５５】
（装置構成）
次に、これまでに説明した処理及び動作を実行する基地局装置１０及びユーザ装置２０の機能構成例を説明する。基地局装置１０及びユーザ装置２０は上述した実施例を実施する機能を含む。ただし、基地局装置１０及びユーザ装置２０はそれぞれ、実施例の中の一部の機能のみを備えることとしてもよい。
【００５６】
＜基地局装置１０＞
図１１は、基地局装置１０の機能構成の一例を示す図である。図１１に示されるように、基地局装置１０は、送信部１１０と、受信部１２０と、設定部１３０と、制御部１４０とを有する。図１１に示される機能構成は一例に過ぎない。本発明の実施の形態に係る動作を実行できるのであれば、機能区分及び機能部の名称はどのようなものでもよい。
【００５７】
送信部１１０は、ユーザ装置２０側に送信する信号を生成し、当該信号を無線で送信する機能を含む。受信部１２０は、ユーザ装置２０から送信された各種の信号を受信し、受信した信号から、例えばより上位のレイヤの情報を取得する機能を含む。また、送信部１１０は、ユーザ装置２０へＮＲ−ＰＳＳ、ＮＲ−ＳＳＳ、ＮＲ−ＰＢＣＨ、ＤＬ／ＵＬ制御信号等を送信する機能を有する。また、例えば、送信部１１０は、ユーザ装置２０に他端末が近接していることを示す情報を送信し、受信部１２０は、ユーザ装置２０から端末情報を受信する。
【００５８】
設定部１３０は、予め設定される設定情報、及び、ユーザ装置２０に送信する各種の設定情報を記憶装置に格納し、必要に応じて記憶装置から読み出す。設定情報の内容は、例えば、Ｄ２Ｄ通信の設定に係る情報等である。
【００５９】
制御部１４０は、実施例において説明したように、ユーザ装置２０がＤ２Ｄ通信を行うための設定に係る処理を行う。制御部１４０における信号送信に関する機能部を送信部１１０に含め、制御部１４０における信号受信に関する機能部を受信部１２０に含めてもよい。
【００６０】
＜ユーザ装置２０＞
図１２は、ユーザ装置２０の機能構成の一例を示す図である。図１２に示されるように、ユーザ装置２０は、送信部２１０と、受信部２２０と、設定部２３０と、制御部２４０とを有する。図１２に示される機能構成は一例に過ぎない。本発明の実施の形態に係る動作を実行できるのであれば、機能区分及び機能部の名称はどのようなものでもよい。
【００６１】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１０から送信されるＮＲ−ＰＳＳ、ＮＲ−ＳＳＳ、ＮＲ−ＰＢＣＨ、ＤＬ／ＵＬ／ＳＬ制御信号等を受信する機能を有する。また、例えば、送信部２１０は、Ｄ２Ｄ通信として、他のユーザ装置２０に、ＰＳＣＣＨ（Physical Sidelink Control Channel）、ＰＳＳＣＨ（Physical Sidelink Shared Channel）、ＰＳＤＣＨ（Physical Sidelink Discovery Channel）、ＰＳＢＣＨ（Physical Sidelink Broadcast Channel）等を送信し、受信部１２０は、他のユーザ装置２０から、ＰＳＣＣＨ、ＰＳＳＣＨ、ＰＳＤＣＨ又はＰＳＢＣＨ等を受信する。
【００６２】
設定部２３０は、受信部２２０により基地局装置１０又はユーザ装置２０から受信した各種の設定情報を記憶装置に格納し、必要に応じて記憶装置から読み出す。また、設定部２３０は、予め設定される設定情報も格納する。設定情報の内容は、例えば、Ｄ２Ｄ通信の設定に係る情報等である。
【００６３】
制御部２４０は、実施例において説明したように、他のユーザ装置２０と実行されるＤ２Ｄ通信を制御する。また、制御部２４０は、Ｄ２Ｄ通信の送信タイプに基づいて送受信処理を実行する。制御部２４０における信号送信に関する機能部を送信部２１０に含め、制御部２４０における信号受信に関する機能部を受信部２２０に含めてもよい。
【００６４】
（ハードウェア構成）
上述の本発明の実施の形態の説明に用いた機能構成図（図１１及び図１２）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６５】
また、例えば、本発明の一実施の形態における基地局装置１０及びユーザ装置２０はいずれも、本発明の実施の形態に係る処理を行うコンピュータとして機能してもよい。図１３は、本発明の実施の形態に係る基地局装置１０又はユーザ装置２０である無線通信装置のハードウェア構成の一例を示す図である。上述の基地局装置１０及びユーザ装置２０はそれぞれ、物理的には、プロセッサ１００１、記憶装置１００２、補助記憶装置１００３、通信装置１００４、入力装置１００５、出力装置１００６、バス１００７等を含むコンピュータ装置として構成されてもよい。
【００６６】
なお、以下の説明では、「装置」という文言は、回路、デバイス、ユニット等に読み替えることができる。基地局装置１０及びユーザ装置２０のハードウェア構成は、図に示した１００１〜１００６で示される各装置を１つ又は複数含むように構成されてもよいし、一部の装置を含まずに構成されてもよい。
【００６７】
基地局装置１０及びユーザ装置２０における各機能は、プロセッサ１００１、記憶装置１００２等のハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００６８】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。
【００６９】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１１に示した基地局装置１０の送信部１１０、受信部１２０、設定部１３０、制御部１４０は、記憶装置１００２に格納され、プロセッサ１００１で動作する制御プログラムによって実現されてもよい。また、例えば、図１２に示したユーザ装置２０の送信部２１０と、受信部２２０と、設定部２３０、制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【００７０】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つで構成されてもよい。記憶装置１００２は、レジスタ、キャッシュ、メインメモリ（主記憶装置）等と呼ばれてもよい。記憶装置１００２は、本発明の一実施の形態に係る処理を実施するために実行可能なプログラム（プログラムコード）、ソフトウェアモジュール等を保存することができる。
【００７１】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００７２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュール等ともいう。例えば、基地局装置１０の送信部１１０及び受信部１２０は、通信装置１００４で実現されてもよい。また、ユーザ装置２０の送信部２１０及び受信部２２０は、通信装置１００４で実現されてもよい。
【００７３】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００７４】
また、プロセッサ１００１及び記憶装置１００２等の各装置は、情報を通信するためのバス１００７で接続される。バス１００７は、単一のバスで構成されてもよいし、装置間で異なるバスで構成されてもよい。
【００７５】
また、基地局装置１０及びユーザ装置２０はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７６】
（実施の形態のまとめ）
以上、説明したように、本発明の実施の形態によれば、端末間直接通信を介して制御情報及びデータを受信する受信部と、前記制御情報又は前記データに基づいて、前記端末間直接通信がユニキャスト、グループキャスト又はブロードキャストのいずれであるかを判別する制御部とを有するユーザ装置が提供される。
【００７７】
上記の構成により、ユーザ装置２０は、サイドリンク通信が、ユニキャスト、グループキャスト又はブロードキャストのいずれであるかを例えばＰＨＹレイヤ等の下位レイヤにおいて判別することができる。さらに、ユーザ装置２０は、下位レイヤのリンクレベルのＱｏＳ管理、例えば、ＨＡＲＱフィードバック、クローズドループ電力制御、ＣＳＩフィードバック等を好適に実行することができる。すなわち、端末間直接通信において、端末間直接通信において、単一の端末に送信する方式、複数の特定の端末に送信する方式又は複数の不特定の端末に送信する方式のいずれであるかを判別することができる。
【００７８】
前記制御情報をユーザ装置の識別子に基づくスクランブリングシーケンスを用いてデコードに成功した場合、前記端末間直接通信がユニキャストであると判別し、かつ、前記制御情報をグループの識別子に基づくスクランブリングシーケンスを用いてデコードに成功した場合、前記端末間直接通信がグループキャストであると判別し、かつ、前記制御情報をユーザ装置又はグループの識別子とは独立したスクランブリングシーケンスを用いてデコードに成功した場合、前記端末間直接通信がブロードキャストであると判別してもよい。当該構成により、ユーザ装置２０は、サイドリンク通信が、ユニキャスト、グループキャスト又はブロードキャストのいずれであるかを例えばＰＨＹレイヤ等の下位レイヤにおいて判別することができる。
【００７９】
前記制御情報のデコードに成功したスクランブリングシーケンスを用いて、前記データのデコードを行ってもよい。当該構成により、ユーザ装置２０は、ＳＣＩのデコードに成功したスクランブリングシーケンスを用いて、データのデコードを効率良く行うことができる。
【００８０】
前記制御情報に含まれる前記端末間直接通信がユニキャスト、グループキャスト又はブロードキャストのいずれであるかを示す情報又は前記制御情報のフォーマットに基づいて、前記端末間直接通信がユニキャスト、グループキャスト又はブロードキャストのいずれであるかを判別してもよい。当該構成により、ユーザ装置２０は、サイドリンク通信が、ユニキャスト、グループキャスト又はブロードキャストのいずれであるかを例えばＰＨＹレイヤ等の下位レイヤにおいて判別することができる。
【００８１】
前記端末間直接通信がユニキャストであると判別された場合、前記データをユーザ装置の識別子に基づくスクランブリングシーケンスを用いてデコードし、かつ、前記端末間直接通信がグループキャストであると判別された場合、前記データをグループの識別子に基づくスクランブリングシーケンスを用いてデコードし、かつ、前記端末間直接通信がブロードキャストであると判別された場合、前記データをユーザ装置又はグループの識別子とは独立したスクランブリングシーケンスを用いてデコードしてもよい。当該構成により、ユーザ装置２０は、サイドリンク通信が、ユニキャスト、グループキャスト又はブロードキャストのいずれであるかが判別された結果に基づいて、適切なスクランブリングシーケンスを選択し効率良くデータをデコードすることができる。
【００８２】
前記データをデコードして取得されたＭＡＣ（Media Access Control）制御要素に基づいて、前記端末間直接通信がユニキャスト、グループキャスト又はブロードキャストのいずれであるかを判別してもよい。当該構成により、ユーザ装置２０は、サイドリンク通信が、ユニキャスト、グループキャスト又はブロードキャストのいずれであるかを例えばＭＡＣレイヤ等の下位レイヤにおいて判別することができる。
【００８３】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８４】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００８５】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８６】
本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【００８７】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び／又は基地局装置１０以外の他のネットワークノード（例えば、ＭＭＥ又はＳ−ＧＷ等が考えられるが、これらに限られない）によって行われ得ることは明らかである。上記において基地局装置１０以外の他のネットワークノードが１つである場合を例示したが、複数の他のネットワークノードの組み合わせ（例えば、ＭＭＥ及びＳ−ＧＷ）であってもよい。
【００８８】
本明細書で説明した各態様／実施形態は単独で用いてもよいし、組み合わせて用いてもよいし、実行に伴って切り替えて用いてもよい。
【００８９】
ユーザ装置２０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９０】
基地局装置１０は、当業者によって、ＮＢ（NodeB）、ｅＮＢ（evolved NodeB）、ｇＮＢ（next generation eNB）、ベースステーション（Base Station）、又はいくつかの他の適切な用語で呼ばれる場合もある。
【００９１】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事等を含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事等を含み得る。また、「判断」、「決定」は、解決（resolving）、選択（selecting）、選定（choosing）、確立（establishing）、比較（comparing）等した事を「判断」「決定」したとみなす事を含み得る。つまり、「判断」「決定」は、何らかの動作を「判断」「決定」したとみなす事を含み得る。
【００９２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９３】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００９４】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００９５】
なお、本発明の実施の形態において、ＳＣＩは、制御情報の一例である。ＵＥ  ＩＤ又はＲＮＴＩは、ユーザ装置の識別子の一例である。グループＩＤ又はＲＮＴＩは、グループの識別子の一例である。ＭＡＣ  ＣＥは、ＭＡＣ制御要素の一例である。
【００９６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９７】
１０        基地局装置
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020031348.tif 000003
【図２】
2020031348.tif 000004
【図３】
2020031348.tif 000005
【図４】
2020031348.tif 000006
【図５】
2020031348.tif 000007
【図６】
2020031348.tif 000008
【図７】
2020031348.tif 000009
【図８】
2020031348.tif 000010
【図９】
2020031348.tif 000011
【図１０】
2020031348.tif 000012
【図１１】
2020031348.tif 000013
【図１２】
2020031348.tif 000014
【図１３】
2020031348.tif 000015
【国際調査報告】
2020031348.tif 000016
2020031348.tif 000017
2020031348.tif 000018
2020031348.tif 000019